(57)【要約】【課題】ケーブルの損傷、コネクタの損傷を防止できる電子機器ユニットを提供する。【解決手段】配線基板２，３の一端にパネル５を具備し、該パネルにコネクタ７が設けられた電子機器ユニット１２に於いて、前記パネルに対して所要の間隔を明けてブリッジ部１４ｂが設けられ、前記コネクタに接続されるケーブル９が前記ブリッジ部に固定可能とした。【選択図】        図２
2004152879.tif 000002
【特許請求の範囲】
【請求項１】
配線基板の一端にパネルを具備し、該パネルにコネクタが設けられた電子機器ユニットに於いて、前記パネルに対して所要の間隔を明けてブリッジ部が設けられ、前記コネクタに接続されるケーブルが前記ブリッジ部に固定可能としたことを特徴とする電子機器ユニット。
【発明の詳細な説明】
【０００１】
【発明の属する技術分野】
本発明は設置式無線装置等、大型の電子機器に実装される電子機器ユニットに関するものである。
【０００２】
【従来の技術】
設置式の無線装置等は、機能毎にユニット化された複数のユニットが筐体等に実装され、更に筐体がラックに組込まれる構成となっている。
【０００３】
図７により従来の電子機器ユニット１について説明する。
【０００４】
図中、２，３は配線基板、４はシールドカバーを示し、前記配線基板２，３の前端にはパネル５が取付けられ、前記配線基板３の後端にはプラグイン用のプラグインコネクタ６が設けられ、前記パネル５には前記電子機器ユニット１と外部装置、或は他の電子機器ユニット（図示せず）とを接続する為のコネクタ７が設けられ、前記パネル５の上下両端部には電子機器ユニット着脱用の着脱レバー８が設けられている。図中、９は前記コネクタ７に連結されるケーブルを示している。
【０００５】
前記電子機器ユニット１が装着される筐体（図示せず）の背面にはマザーボードが取付けられ、該マザーボードには前記プラグインコネクタ６と結合するコネクタが実装されている。又、前記筐体には前記電子機器ユニット１を装着する場合の案内となるガイドレール（図示せず）が取付けられている。
【０００６】
前記電子機器ユニット１を前記筐体に実装する場合は、前記電子機器ユニット１を前記ガイドレールに沿って挿入し、前記プラグインコネクタ６を前記マザーボード側のコネクタに結合させる。前記電子機器ユニット１は前記プラグインコネクタ６と前記マザーボード側のコネクタとの結合力によって保持される。
【０００７】
前記電子機器ユニット１を取外す場合は、前記着脱レバー８を引起し、梃子の作用で前記電子機器ユニット１を前方に引出し、前記プラグインコネクタ６とマザーボード側のコネクタとの結合を解除する。その後、前記電子機器ユニット１を前方に引出している。
【０００８】
上記した従来例は、例えば特許文献１の図１に示されている。
【０００９】
【特許文献１】
特開平８−２６３９７９号公報
【００１０】
【発明が解決しようとする課題】
上記した従来の電子機器ユニットでは、前記電子機器ユニット１の保持力がプラグインコネクタ６の結合力だけであり、前記ガイドレールと配線基板３とは隙間がある為、無線装置等の輸送時の振動で、前記プラグインコネクタ６の結合が緩む虞れがある。前記プラグインコネクタ６の結合が緩むと接触不良の原因となり、信号のエラーを発生する虞れも生じる。特に、前記電子機器ユニット１のコネクタ７に前記ケーブル９が接続されている場合では、該ケーブル９の重みが前記電子機器ユニット１に作用して更に前記プラグインコネクタ６の結合が緩み易くなるという問題があった。
【００１１】
又、前記ケーブル９が前面から接続される為、運搬時に該ケーブル９が引っ掛かる等して該ケーブル９に外力が作用することも考えられ、該ケーブル９に外力が作用した場合は、該ケーブル９の損傷、前記コネクタ７の損傷の原因となる。
【００１２】
本発明は斯かる実情に鑑み、ケーブルの損傷、コネクタの損傷を防止できる電子機器ユニットを提供するものである。
【００１３】
【課題を解決するための手段】
本発明は、配線基板の一端にパネルを具備し、該パネルにコネクタが設けられた電子機器ユニットに於いて、前記パネルに対して所要の間隔を明けてブリッジ部が設けられ、前記コネクタに接続されるケーブルが前記ブリッジ部に固定可能とした電子機器ユニットに係るものである。
【００１４】
【発明の実施の形態】
以下、図面を参照しつつ本発明の実施の形態を説明する。
【００１５】
図１は本発明に係る電子機器ユニットが筐体１１に実装された状態を示している。
【００１６】
該筐体１１には機能毎に構成された複数の電子機器ユニット１２が実装されており、以下の説明は、該電子機器ユニット１２について図２、図３により説明する。尚、前記電子機器ユニット１２は図７で説明した電子機器ユニット１と同等の構成を具備しており、図２、図３中、図７中で示したものと同等のものには同符号を付してある。
【００１７】
前記筐体１１の背面にはマザーボード（図示せず）が取付けられ、前記筐体１１の天井面、底面には前後方向に延びるガイドレール（図示せず）が取付けられており、前記電子機器ユニット１２は前記ガイドレールを介して前記筐体１１に挿入され、更にプラグインコネクタ６がマザーボードのコネクタに結合する様になっている。
【００１８】
前記電子機器ユニット１２の前面にはパネル５が取付けられ、該パネル５の上端部、下端部には螺子、例えば抜止めローレット螺子１３が設けられ、前記電子機器ユニット１２を前記筐体１１に完全に実装した状態で、前記ローレット螺子１３により前記パネル５を前記筐体１１に固着する様になっている。
【００１９】
前記パネル５には上下方向に一列に所要数（図示では８個）のコネクタ７が設けられ、該コネクタ７は配線基板２、配線基板３の回路に接続されている。前記コネクタ７の列と平行にＵ字状の取手１４が前記パネル５に取付けられ、前記取手１４は支柱部１４ａとブリッジ部１４ｂから成り、図３に示される様に、ケーブル９を前記コネクタ７に接続した場合、前記ブリッジ部１４ｂは前記ケーブル９に直接接触する高さとなっている。
【００２０】
前記ケーブル９を前記コネクタ７に接続すると、結束帯１６により前記ケーブル９をブリッジ部１４ｂに固定する。
【００２１】
前記電子機器ユニット１２を前記筐体１１に実装すると、前記パネル５をローレット螺子１３で前記筐体１１に固定しているので、前記電子機器ユニット１２を輸送した場合に、該電子機器ユニット１２が筐体１１内で振動することなく、前記プラグインコネクタ６の結合力が緩むことがない。
【００２２】
又、前記電子機器ユニット１２を外す場合には、前記ローレット螺子１３を緩め、前記取手１４を持って引抜く。該取手１４により充分な力を加えることができるので、前記電子機器ユニット１２に無理な力を発生させることなく、容易に取外しができる。
【００２３】
次に、前記電子機器ユニット１２の実装時には前記ケーブル９を結束帯１６により前記ブリッジ部１４ｂに固定することができるので、前記ケーブル９に不測の外力が作用した場合にも、前記ケーブル９のコネクタ１５とコネクタ７との結合には影響を及すことがなく、前記コネクタ１５とケーブル９の接続箇所等での損傷が防止できる。
【００２４】
尚、前記ケーブル９をブリッジ部１４ｂに固定する手段として、Ｕ字止め金具１７により前記ケーブル９をブリッジ部１４ｂ間に挾持し、前記Ｕ字止め金具１７を螺子１８により固定してもよい（図４参照）。又、前記ケーブル９のブリッジ部１４ｂに対する位置を安定させる為、溝１９を形成してもよい（図５参照）。
【００２５】
上記実施の形態では、棒状の取手１４を前記パネル５に固着したが、図６に示す第２の実施の形態では、取手を前記パネル５と一体に成形したものである。
【００２６】
図６中、図２中と同等のものには同符号を付し説明を省略する。
【００２７】
板材よりパネル５が形成されると共に該パネル５より支柱部２１ａが折上げられ、該支柱部２１ａの先端に断面コの字状に屈曲されたブリッジ部２１ｂが形成され、更に前記支柱部２１ａには矩形の指通し孔２２が穿設されている。而して、前記支柱部２１ａ、ブリッジ部２１ｂにより取手２１が形成され、該取手２１は前記電子機器ユニット１２を挿脱する場合に使用されると共に実装状態では前記ケーブル９が前記ブリッジ部２１ｂに前記Ｕ字止め金具１７等を利用して固定される。尚、前記取手２１は別体として前記パネル５に螺子止め等により固定する構造としてもよい。
【００２８】
【発明の効果】
以上述べた如く本発明によれば、配線基板の一端にパネルを具備し、該パネルにコネクタが設けられた電子機器ユニットに於いて、前記パネルに対して所要の間隔を明けてブリッジ部が設けられ、前記コネクタに接続されるケーブルが前記ブリッジ部に固定可能としたので、前記ケーブルに不測の外力が作用した場合にも、ケーブルの損傷、コネクタの損傷を防止できるという優れた効果を発揮する。
【図面の簡単な説明】
【図１】本発明の実施の形態に係る電子機器ユニットが実装された装置の外観図である。
【図２】本発明の実施の形態を示す斜視図である。
【図３】本発明の実施の形態の要部を示す斜視図である。
【図４】本発明の実施の形態の変更例を示す要部斜視図である。
【図５】本発明の実施の形態の他の変更例を示す要部斜視図である。
【図６】本発明の第２の実施の形態を示す斜視図である。
【図７】従来例を示す斜視図である。
【符号の説明】
２          配線基板
３          配線基板
５          パネル
６          プラグインコネクタ
７          コネクタ
９          ケーブル
１２        電子機器ユニット
１３        ローレット螺子
１４        取手
１４ｂ      ブリッジ部
１６        結束帯
１７        Ｕ字止め金具
１９        溝
２１        取手
２１ｂ      ブリッジ部
【図１】
2004152879.tif 000003
【図２】
2004152879.tif 000004
【図３】
2004152879.tif 000005
【図４】
2004152879.tif 000006
【図５】
2004152879.tif 000007
【図６】
2004152879.tif 000008
【図７】
2004152879.tif 000009